(57)【特許請求の範囲】
【請求項１】
布を貫通して形成される三ないし四列の針糸ステッチと、布下面において、各列の針糸ステッチと絡み合って組合わせられるルーパ糸と、布上面において三ないし四列の針糸ステッチのうち、端の一列目の針糸ステッチと、その隣の二列目の針糸ステッチに組合わせられる第１の上飾り糸と、一列目の針糸ステッチを除く二列目の針糸ステッチと三列目の針糸ステッチ、又は二列目から四列目に至る各列の各針糸ステッチ全てに組合わせられ、前記第１の上飾り糸とは異色の第２の上飾り糸とよりなることを特徴とする偏平縫い目構造。
【請求項２】
布送りと直交する方向に並列し、主軸に連動して上下動する三本の上針と、上針の上下動と同期して上針の並ぶ方向への左右動と、布送り方向への前後動よりなる楕円運動を行うルーパと、主軸に連動して各上針の手前を往復動し、往動時に上飾り糸を捕捉牽引して左右に振るスプレッダーとを備えた偏平縫いミシンにおいて、第１の上飾り糸を通す糸ガイドと、前記第１の上飾り糸とは異色の第２の上飾り糸を通す目孔を備えたキャリヤー針と、該キャリヤー針に連結され、キャリヤー針の目孔を上針の手前側より一列目と二列目の針糸ステッチを形成する上針間に向けて進退させる作動機構を設け、また前記スプレッダーが往動時に一列目の針糸ステッチから前記糸ガイドに至る第１の上飾り糸を捕捉牽引する第１の糸掛部と、二列目の針糸ステッチからキャリヤー針の目孔に至る第２の上飾り糸を捕捉牽引する第２の糸掛部とを有することを特徴とする偏平縫いミシン。
【請求項３】
前記キャリヤー針を進退させる作動機構は、スプレッダーを往復動させる機構を構成する揺動軸に連結されることを特徴とする請求項２記載の偏平縫いミシン。
【発明の詳細な説明】
【技術分野】
【０００１】
本発明は、新規な偏平縫い目構造と、該縫い目構造を形成する偏平縫いミシンに関する。
【背景技術】
【０００２】
ＪＩＳのＦ記号により表される偏平縫いの縫い目構造は、二〜四本針の上下動によって形成される二〜四列の針糸ステッチと、針板下において布送りと直交する方向に往復動し、往動時に針糸ルーパを掬うルーパに通され、該ルーパにより各針糸ステッチと絡み合って組合わせられるルーパ糸と、布上において針の手前側を針の並ぶ方向に往復動するスプレッダーにより各針糸ステッチに組合わせられる上飾り糸よりなるもので、第１及び第２の二本の上飾り糸を用い、そのうち第１の上飾り糸を一列目から三ないし四列目に至る全ての針糸ステッチに組合わせると共に、第２の上飾り糸を端の一列目の針糸ステッチとその隣の二列目の針糸ステッチに組合わせた偏平縫いの縫い目構造も提案されている（特許文献１）。
【０００３】
特許文献１に開示される偏平縫いを形成するスプレッダーには、第１及び第２の上飾り糸用の糸掛部を形成し、第１の上飾り糸用の糸掛部で第１の上飾り糸を捕捉して二〜四列目の全ての列の針糸ステッチに組合わせる一方、第２の上飾り糸掛部で第２の上飾り糸を捕捉して端の一列目の針糸ステッチとその隣の二列目の針糸ステッチに組合わせるようにしている。
【０００４】
上飾り糸を三ないし四列の針糸ステッチのうち、端の一列目の針糸ステッチを除く他の列の針糸ステッチ全てに組合わせた偏平縫い目構造も知られる。
【０００５】
特許文献２に示されるものがそうで、上飾り糸を通すキャリヤー針を所定の上針間に向けて進退させ、かつスプレッダーの揺動量を少なくするか、或いは揺動範囲をずらして上飾り糸を端の一列目の針糸ステッチに組合わせないようにしている。
【先行技術文献】
【特許文献】
【０００６】
【特許文献１】実用新案登録第３１５５７１０号
【特許文献２】実公昭６０−４１９０９号
【発明の概要】
【発明が解決しようとする課題】
【０００７】
第１及び第２の上飾り糸を用いた偏平縫いは、第１及び第２の上飾り糸に異色の装飾糸を用いることにより、装飾性に富んだ偏平縫い目構造が得られるが、第２の上飾り糸は第１の上飾り糸と一部が重なり、重なり部分では第１の上飾り糸第２の上飾り糸が交じり合い、色むらを生ずる。
【０００８】
本発明は、第１及び第２の上飾り糸を用い、両上飾り糸が重なることによる上記の問題を生ずることがない新規な構造の偏平縫い目構造と、該偏平縫い目を構造を形成する偏平縫いミシンを提供することを目的とする。
【課題を解決するための手段】
【０００９】
請求項１に係わる発明の偏平縫い目構造は、布を貫通して形成される三ないし四列の針糸ステッチと、布下面において、各列の針糸ステッチと絡み合って組合わせられるルーパ糸と、布上面において三ないし四列の針糸ステッチのうち、端の一列目の針糸ステッチと、その隣の二列目の針糸ステッチに組合わせられる第１の上飾り糸と、一列目の針糸ステッチを除く二列目の針糸ステッチと三列目の針糸ステッチ、又は二列目から四列目に至る各列の各針糸ステッチ全てに組合わせられ、前記第１の上飾り糸とは異色の第２の上飾り糸とよりなることを特徴とする。
【００１０】
請求項２に係わる発明は、請求項１に係わる発明の偏平縫いのうち、針糸ステッチが三列よりなる偏平縫い目を形成する偏平縫いミシンであって、布送りと直交する方向に並列し、主軸に連動して上下動する三本の上針と、上針の上下動と同期して上針の並ぶ方向への左右動と、布送り方向への前後動よりなる楕円運動を行うルーパと、主軸に連動して各上針の手前を往復動し、往動時に上飾り糸を捕捉牽引して左右に振るスプレッダーとを備えた偏平縫いミシンにおいて、第１の上飾り糸を通す糸ガイドと、前記第１の上飾り糸とは異色の第２の上飾り糸を通す目孔を備えたキャリヤー針と、該キャリヤー針に連結され、キャリヤー針の目孔を上針の手前側より一列目と二列目の針糸ステッチを形成する上針間に向けて進退させる作動機構を設け、また前記スプレッダーが往動時に一列目の針糸ステッチから前記糸ガイドに至る第１の上飾り糸を捕捉牽引する第１の糸掛部と、二列目の針糸ステッチからキャリヤー針の目孔に至る第２の上飾り糸を捕捉牽引する第２の糸掛部とを有することを特徴とし、
請求項３に係わる発明は、請求項２に係わる発明において、キャリヤー針を進退させる作動機構は、スプレッダーを往復動させる機構を構成する揺動軸に連結されることを特徴とする。
【発明の効果】
【００１１】
請求項１に係わる発明によると、第１の上飾り糸は一列目と二列目の針糸ステッチに掛けられる一方、第２の上飾り糸は一列目の針糸ステッチを除く二列目と三列目又は二列目から四列目に至る全ての列の針糸ステッチに掛けられ、両上飾り糸が重なって交じり合うことがなく、両上飾り糸が異色の装飾糸であっても、第１及び第２の上飾り糸が色分けされ、装飾性に富んだ縫い目となる。
【００１２】
請求項２に係わる偏平縫いミシンにより、請求項１に係わる発明の偏平縫い目を得ることができる。キャリヤー針の作動機構はスプレッダーを往復動させる機構とは別個に独立して構成すれば、キャリヤー針を最適なタイミングで動作させることができるが、請求項３に係わる発明のように、キャリヤー針の作動機構をスプレッダーを往復動させる機構を構成する揺動軸に連結させ、一部の構成を共通化すれば、機構を簡素化することができる。
【図面の簡単な説明】
【００１３】
【図１】本発明に係わる偏平縫いミシンの要部の斜視図。
【図２】スプレッダーとキャリヤー針と糸ガイドによる上飾り糸縫込みの一形成過程を示す平面図。
【図３】次の形成過程を示す平面図。
【図４】更に次の形成過程を示す平面図。
【図５】更に次の形成過程を示す平面図。
【図６】更に次の形成過程を示す平面図。
【図７】更に次の形成過程を示す平面図。
【図８】針、ルーパ、スプレッダー、キャリヤー針及び糸ガイドによる偏平縫い目を形成する一形成過程の斜視図。
【図９】次の形成過程を示す斜視図。
【図１０】更に次の形成過程を示す斜視図。
【図１１】更に次の形成過程を示す斜視図。
【図１２】更に次の形成過程を示す斜視図。
【図１３】目孔の別の態様を示す図。
【図１４】本発明に係わる偏平縫い目構造の斜視図。
【発明を実施するための形態】
【００１４】
以下本発明の実施形態の偏平縫いミシンについて図面により説明する。
図１において、偏平縫いミシン１のアーム２には、主軸３と、揺動軸４が並設され、それぞれ水平軸線の回りに回転自在に軸支されている。そして揺動軸４は主軸３とリンク機構５により連結され、主軸３の回転によって一定角度の範囲内で往復回動（以下、揺動という）するようになっている。
【００１５】
アームヘッド７には、揺動軸としての振り軸８が垂直に回転自在に軸支され、該振り軸８と揺動軸４とは、前記揺動軸端に下向きに固着されるアーム９と、該アーム下端の筒部９ａに横向きに回転自在に装着されるコロ１１と、該コロ１１に直径方向に嵌挿される振り軸８上端のクランクピン１２よりなるリンク機構１３により連結され、揺動軸４の水平軸線の周りの揺動がリンク機構１３を介して振り軸８に伝えられ、該振り軸８を垂直軸線の回りに揺動させるようになっている。振り軸８を揺動させる機構は、主軸3から振り軸８を揺動させる機構であればどのような機構でもよく、前記機構に限定されない。
【００１６】
アームヘッド７にはまた、主軸３に連動して上下動する針棒１４が軸支され、ミシンベッド７より下向きに突出する針棒下端に固着の針株１５には、後述するルーパ３８とのタイミングを合わせるために三本の上針１６ａ、１６ｂ、１６ｃの針先が図１及び図８〜図１２に示すように、図の左から右に向かって漸次高くなるようにされ、かつ布送りと直交する方向に並んで取付けられている。
【００１７】
アームヘッド７より下向きに突出する前記振り軸８には、アーム１８及び１９が上下に固着され、図２〜図７においてアーム１９下に位置して図示されないアーム１８には、スプレッダー２１が取付けられている。このスプレッダー２１は図２〜図１２に示されるように、第１の上飾り糸用の糸掛部２２と、該糸掛部２２よりスプレッダー先端側に第２の上飾り糸用の糸掛部２３とを備え、アーム１８の揺動により振り軸８を中心として揺動することにより前記第１及び第２の糸掛部２２及び２３が上針１６ａ、１６ｂ、１６ｃの手前側を図の左右方向に往復動するようになっている。すなわちスプレッダー２１が上針１６ａ、１６ｂ、１６ｃの手前側を右死点から左死点の間で左右方向に往復動すると、第１の糸掛部２２が図５及び図１０の右針１６ａの右側方から該右針１６ａを越え、中針１６ｂを経て左針１６ｃに達する図２の位置まで往復動し、第２の糸掛部２３は、図５及び図１０の右針１６ａ斜め手前から該右針１６ａ、中針１６ｂ及び左針１６ｃを越える図２の範囲までの間で左右方向に往復動するようになっている。
【００１８】
前記アーム１９は、アームヘッド７に支持されるブラケット２５に振り軸８と平行をなして回転可能に軸支される軸２７に固着のレバー２８とリンク３０により連結され、振り軸８の揺動がアーム１９に伝えられ、リンク３０及びレバー２８を介して軸２７を揺動させるようになっている。振り軸８の揺動を軸２７に伝える機構も前記機構に代えて他の任意の伝動機構を用いることができる。
【００１９】
軸２７には、目孔３３を備えた糸ガイド３２が取付けられると共に台２６が取り付けられ、該台２６には、湾曲したキャリヤー針３４の垂直な取付部が差込んで取付けられている。そしてこれら糸ガイド３２とキャリヤー針３４がスプレッダー上において前記軸２７の周りを揺動し、糸ガイド３２の目孔３３が右針１６ａの右斜め手前の図５の位置より右針１６ａの右側の図２の位置との間の範囲で、またキャリヤー針３４先端の目孔３５が右針１６ａ手前の図５の位置より右針１６ａと、その隣の中針１６ｂの間に進入した図２の位置との間の範囲で進退するようになっている。図１において、３７はミシンアームに取付けられる飾り糸案内である。
【００２０】
前述する糸ガイド３２の目孔３３及びキャリヤー針３４の目孔３５は、図示する例では丸孔となっているが、長円形の長孔であってもよいし、図１３に示すような溝状の目孔であってもよい。また、これら目孔は、図示する例では上下に貫通して形成されているが、水平方向に貫通する形態でもよい。
【００２１】
以上のように糸ガイド３２とキャリヤー針３４は前後方向に揺動して進退し、前記揺動軸４、リンク機構１３、振り軸８、アーム１９、リンク３０、レバー２８、軸２７、台２６等が糸ガイド３２とキャリヤー針３４を進退させる作動機構を構成するが、前記スプレッダー２１を左右に振る往復動機構、すなわち前記揺動軸４、リンク機構１３、振り軸８、アーム１８よりなる機構とは、揺動軸４から振り軸８に至る機構までを共通とし、振り軸８を共通の揺動軸として糸ガイド３２及びキャリヤー針３４の軸２７を中心として旋回する往復動が行われる。
【００２２】
糸ガイド３２とキャリヤー針３４を往復動させる機構としては、前記実施形態では前述するような揺動機構を用いているが、往復直線運動させる機構を採用することも可能であり、また糸ガイド３２とキャリヤー針３４の揺動機構に関しても、前記実施形態の揺動機構に限定されることなく他の既知の揺動機構を用いることができる。こうした既知の揺動機構としては、例えば前記特許文献１に開示されるようなキャリヤー針の作動機構を例示することができる。
【００２３】
前記実施形態ではまた、糸ガイド３２とキャリヤー針３４は共に軸２７の周りを揺動するように構成されているが、主軸に連動して作動する別々の独立した作動機構により往復動させるようにすることもできる。これにより糸ガイド３２とキャリヤー針３４を最適なタイミングと最適な軌跡で運動させることが可能となる。
【００２４】
アームヘッド下の針板３６は、図示しないミシンベッド上面に取付けられ、針板下のベッド内には、図８〜図１２に示されるルーパ３８が配置されている。このルーパ３８にはルーパ糸３９が通され、よく知られるように上針１６ａ、１６ｂ、１６ｃの上下動と同期して布送りと直交する方向の左右動と、布送り方向の前後動よりなる楕円運動を行い、上針１６ａ、１６ｂ、１６ｃと協働して後述の針糸４１ａ、４１ｂ、４１ｃとルーパ糸３９による縫い目形成を行うようになっている。
【００２５】
偏平縫いミシンは以上のように構成され、布に偏平縫いを行うときには、先ず各針１６ａ、１６ｂ、１６ｃにそれぞれ針糸４１ａ、４１ｂ、４１ｃを通し、糸ガイド３２の目孔３３に第１の上飾り糸４３ａを、キャリヤー針３４の目孔３５に第２の上飾り糸３９ｂをそれぞれ通すと共に、ルーパ３８にルーパ糸３９を通しておいて布への縫製を開始する。
【００２６】
図２〜図１２は、縫製途上での縫い目形成過程を示すもので、いま上針１６ａ、１６ｂ、１６ｃが布上に上昇して上死点に位置し、かつスプレッダー２１が上針１６ａ、１６ｂ、１６ｃの手前を前進して第１及び第２の糸掛部２２及び２３に第１及び第２の上飾り糸４３ａ及び４３ｂを引掛け、これら各上飾り糸４３ａ、４３ｂを牽引して左死点付近に位置し、また糸ガイド３２が前進して上針のうち、右針１６ａにより形成される一列目の針糸ステッチから延び、前記第１の糸掛部２２に掛けられた第１の飾り糸４３ａを通す目孔３３が右針１６ａの右側の前進端近くに位置し、かつキャリヤー針３４が前進して、中針１６ｂにより形成される二列目の針糸ステッチから延び、前記第２の糸掛部２３に掛けられた第２の上飾り糸４３ｂを通す目孔３５が右針１６ａと中針１６bの間を通過した前進端近くの位置にあるとする（図２）。
【００２７】
この状態より上針１６ａ、１６ｂ、１６ｃが降下し始めると、スプレッダー２１が前進端の左死点に、かつ糸ガイド３２及びキャリヤー針３４が前進端に達する。上針１６ａ、１６ｂ、１６ｃが更に降下すると、スプレッダー２１が左死点から右方に後退し始めると共に、糸ガイド３２とキャリヤー針３４が手前側に向けて旋回して後退し始め、かつ左針１６ｃが中針１６ｂにより形成される二列目の針糸ステッチから伸び、かつ前記第２の糸掛部２３に掛けられる第２の上飾り糸４３ｂとスプレッダー２１との間に降下する（図８）。
【００２８】
上針１６ａ、１６ｂ、１６ｃが更に降下すると、スプレッダー２１が各糸掛部２２及び２３に上飾り糸４３ａ、４３ｂをかけたまま図の右方に後退を続けると共に、糸ガイド３２とキャリヤー針３４が手前側に後退を続け、かつ左針１６ｃが布ｗを刺し通し、更に、中針１６ｂが第２の糸掛部２３に掛けられ、かつキャリヤー針３４の目孔３５に至る第２の上飾り糸４３ｂとスプレッダー２１との間に降下し、また右針１６ｂにより形成される一列目の針糸ステッチから伸び、前記第１の糸掛部２２に掛けられた第１の上飾り糸４３ａとスプレッダー２１との間に降下する（図３）。
【００２９】
上針１６ａ、１６ｂ、１６ｃが更に降下し、スプレッダー２１が図の右方に、糸ガイド３２とキャリヤー針３４が更に後退を続けると、第２の上飾り糸４３ｂは左針１６ｃの周りを周回した状態でスプレッダー２１の後退により第２の糸掛部２３より外れて弛むが、キャリヤー針３４が手前側に旋回して後退することにより引張られて弛みを吸収され、左針１６ｃに掛けられた状態で中針１６ｂを経て手前側に引出される（図９）。
【００３０】
一方、第１の上飾り糸４３ａは中針１６ｂの周りを周回した状態で、スプレッダー２１の後退により第１の糸掛部２２より外れて弛むが、糸ガイド３２が手前側に旋回して後退することにより引張られ、弛みを吸収される。同時に右針１６ａが、中針１６ｂを周回し糸ガイド３２の目孔３３に至る第１の上飾り糸４３ａとスプレッダー２１の間に降下する（図４）。
【００３１】
上針１６ａ、１６ｂ、１６ｃが下死点に達すると、スプレッダー２１は後退端の右死点に近付き、かつキャリヤー針３４及び糸ガイド３２も手前側に旋回して後退端に近付く。第２の上飾り糸４３ｂは左針１６ｃに掛けられ、スプレッダー２１上を横断して旋回するキャリヤー針３４の手前側への後退により、スプレッダー上に乗り掛って引き締められる一方、第１の上飾り糸４３ａは中針１６ｂに掛けられ、スプレッダー２１より外れた状態で糸ガイド３２の手前側への後退により引き締められる（図１０）。
【００３２】
上針１６ａ、１６ｂ、１６ｃが下死点より上昇し始めると、スプレッダー２１が右死点に、かつキャリヤー針３４及び糸ガイド３２が手前側の後退端に達する（図５）。これにより第２の上飾り糸４３ｂはスプレッダー２１に乗り掛かったまま更に手前側に引出され、また第１の上飾り糸４３ａも右針１６ａにより形成される一列目の針糸ステッチから手前側に引出される（図１１）。
【００３３】
上針１６ａ、１６ｂ、１６ｃが更に上昇すると、スプレッダー２１が各上針１６ａ、１６ｂ、１６ｃの手前を左方に前進すると共に、キャリヤー針３４及び糸ガイド３２が後退端より針側に前進する（図６）。そして前進途上において、スプレッダー２１に乗り掛かる第２の上飾り糸４３ｂは第２の糸掛部２３に掛けられると共に、右針１６ａにより形成される一列目の針糸ステッチから糸ガイド３２の目孔３３に至る第１の上飾り糸４３ａがスプレッダー２１の第１の糸掛部２２に捕捉される（図１２）。そして布ｗが一縫い目分送られると共に、キャリヤー針３４及び糸ガイド３２が前進端に達する。
【００３４】
以上のようにして糸飾り糸４３ａ、４３ｂの縫込みが行われる。
前記実施形態では、糸ガイド３２は前後方向に揺動して第１の上飾り糸４３ａの糸締めを行うようになっているが、スプレッダー２１によって引き出される第１の上飾り糸４３ａの引出し量は第２の上飾り糸４３ｂの引出し量より少なく、糸ガイド３２を固定していても縫い目形成に特に支障はないが、きれいな理想的な縫い目を形成するためには、前記実施形態に示されるように、糸ガイド３２は前後方向に揺動するのが望ましい。
【００３５】
以上のようにして上飾り糸４３ａが右針１６ａと中針１６bにより形成される一列目と二列目の針糸ステッチに縫込まれると共に、上飾り糸４３ｂが左針１６cと中針１６bにより形成される三列目と二列目の針糸ステッチに縫込まれ、上飾り糸４３ａと上飾り糸４３ｂが縫い目の左右に分かれ、重なることがない。したがって上飾り糸４３ａと上飾り糸４３ｂに異色の糸を用いた場合、色むらを生ずることなく縫い目の左右に色分けされる。
【００３６】
上針１６ａ、１６ｂ、１６ｃに担持される針糸４１ａ、４１ｂ、４１ｃとルーパ３８に担持されるルーパ糸３９による縫い目形成は、よく知られた周知の方法によって行われ、この縫い目形成自体は本発明の特徴ではないので詳細な説明は省略する。
図１４は、前述するようにして上飾り糸４３ａ、４３ｂが縫込まれた偏平縫い目構造を示す。
【００３７】
偏平縫いミシンには、スプレッダー２１やルーパ３８が前記実施形態の偏平縫いミシンとは逆に左から右方向に往復動し、構造が前記実施形態の偏平縫いミシンと左右対称形をなす左ミシンと称される偏平縫いミシンもある。本発明はこうした左ミシンの偏平縫いミシンにも適用可能で、この左ミシンの偏平縫いミシンではしたがって、前記実施形態の偏平縫いミシンとは逆に一列目の針糸ステッチは左針により、二列目の針糸ステッチな中針により、また三列目の針糸ステッチは右針により形成される。
【符号の説明】
【００３８】
１・・偏平縫いミシン
３・・主軸
４・・揺動軸
８・・振り袖
１３・・リンク機構
１４・・針棒
１６ａ、１６ｂ、１６ｃ・・針
１８、１９・・アーム
２１・・スプレッダー
２２、２３・・糸掛部
２７・・軸
３２・・糸ガイド
３４・・キャリヤー針
３８・・ルーパ
４３ａ、４３ｂ・・上飾り糸
【図１】
0005525384.tif 000002
【図２】
0005525384.tif 000003
【図３】
0005525384.tif 000004
【図４】
0005525384.tif 000005
【図５】
0005525384.tif 000006
【図６】
0005525384.tif 000007
【図７】
0005525384.tif 000008
【図８】
0005525384.tif 000009
【図９】
0005525384.tif 000010
【図１０】
0005525384.tif 000011
【図１１】
0005525384.tif 000012
【図１２】
0005525384.tif 000013
【図１３】
0005525384.tif 000014
【図１４】
0005525384.tif 000015